(57)【要約】      （修正有）【課題】容器を水平にしても、下向きに噴射できる噴射器付き容器を提供する。【解決手段】容器本体４の底部８の隅部に、容器を水平にしたとき溶液が溜まる液溜め１１を形成して、吸引チューブ５の先端部を前記液溜め１１に導く。溶液量が少なくなったときには、一旦、容器本体４の底部８を下にした後に水平にすると、少ない溶液は液溜め１１に貯留されるので、該液溜め１１の溶液を吸引チューブ５で吸引して下向きに噴射することができ、この操作を繰り返すことによって、容器本体４内の残量を少なくすることができる。【選択図】図１
2012017108.tif 000002
【特許請求の範囲】
【請求項１】
容器本体内の溶液を吸引チューブで吸引して噴射する噴射器付き容器であって、
前記容器本体の底部の隅部に、容器を水平にしたとき溶液が溜まる液溜めを形成し、
前記吸引チューブの先端部を前記液溜に導くことを特徴とする噴射器付き容器。
【請求項２】
容器本体の側部から中心方向に凹部を形成して液溜めを形成することを特徴とする請求項１の噴射器付き容器。
【請求項３】
容器本体の側部から外側に凸部を形成して液溜めを形成することを特徴とする請求項１の噴射器付き容器。
【発明の詳細な説明】
【技術分野】
【０００１】
本発明は、容器を水平にして下向きに噴射できる噴射器付き容器に関する。
【背景技術】
【０００２】
従来、噴射器付き容器として、特許文献１〜４がある。
これらの公報における噴射器付き容器には、トリガーハンドル型、押しボタン式等があり、容器本体内の溶液を吸引チューブを介して吸引して噴射口から噴出する。
例えば、図３（Ａ）に示すように、容器本体２０の排出口には噴射器２１が取り付けてあり、この噴射器２１はハンドル２２の操作によって、内臓のポンプ（図示略）によって、吸引チューブ２３を介して溶液Ｙを吸引して、横向きの噴射口２６から噴射する。
そして、容器本体２０内の溶液量が少なくなる対策として、前記吸引チューブ２３の先端は容器本体の底部２４の隅部２５に到るように曲折してあり、容器本体２０を傾けることによって、底部２４の隅部２５に残っている溶液Ｙを吸引可能になっている。
【先行技術文献】
【特許文献】
【０００３】
【特許文献１】特開平６−７７１２号公報
【特許文献２】特開平１０−３１６１５７号公報
【特許文献３】特開２００５−２７２０１２号公報
【特許文献４】特開２００９−１０８１０３号公報
【発明の概要】
【発明が解決しようとする課題】
【０００４】
従来の噴射器付き容器は、容量が少なくなると、容器本体２０を傾斜して使用する。
しかし、噴射場所によっては、図３（Ｂ）に示すように、容器本体２０をほぼ水平にして、下向きに噴射する場合がある。この場合、溶液量が少なくなると、容器本体内の吸引チューブ２３の先は、必ずしも、残量液に浸漬しない状態になり、かかる残液量は使用できない。
そこで、本願発明は、溶液量が少なくなったときであっても、下向きに噴射ができる噴射器付き容器を提供するものである。
【課題を解決するための手段】
【０００５】
請求項１の噴射器付き容器は、容器本体の底部の隅部に、容器本体を水平にしたとき、溶液が溜まる液溜めが形成してあり、その液溜めに吸引チューブの先端部が導かれているので、容器本体を水平にして下向きで噴射することができる。
この容器本体は、溶液量が少なくなったときには、一旦、容器本体の底部を下にした後に水平にすると、少ない溶液は液溜めに貯留されるので、該液溜めの溶液を吸引チューブで吸引して下向きに噴射することができ、この操作を繰り返すことによって、容器本体内の残量を少なくすることができる。
又、請求項２の噴射器付き容器は、容器本体の側部から中心方向に凹部を形成して液溜めを形成するものであり、請求項３の噴射器付き容器は、容器本体の側部から外側に凸部を形成して液溜めを形成するものである。
【発明の効果】
【０００６】
本願発明は、液溜めが形成してあるので、溶液の残量が少なくなっても、容器本体を水平にして噴射することができる。
【図面の簡単な説明】
【０００７】
【図１】（Ａ）は立設状態の一部断面を含む噴射器付き容器であり、（Ｂ）は容器本体を水平にして下向きに噴射するときの一部断面を含む噴射器付き容器である。
【図２】（Ａ）は立設状態の一部断面を含む他の形状の噴射器付き容器であり、（Ｂ）は容器本体を水平にして下向きに噴射するときの一部断面を含む他の形状の噴射器付き容器である。
【図３】（Ａ）は立設状態の一部断面を含む従来の噴射器付き容器であり、（Ｂ）は容器本体を水平にしたときの一部断面を含む従来の噴射器付き容器である。
【発明を実施するための形態】
【０００８】
以下、本発明の実施の形態を図面を参照して説明する。
図１（Ａ）は立設状態の一部断面を含む噴射器付き容器であり、図１（Ｂ）は、容器本体をほぼ水平にして下向きに噴射するときの一部断面を含む噴射器付き容器である。
噴射器付き容器１は、よく知られていて、各種の溶液を噴射するものであり、ここではトリガーハンドル型を取り上げる。この噴射器２は、容器本体４の排出口を閉鎖するキャップ３に替えて取り付けられていて、ハンドル操作７によってポンプ（図示略）が作動し、容器本体４内の吸引チューブ５を介して溶液Ｙを吸引して、噴射口６から噴射する。
【０００９】
又、この容器本体４の形状は、前側部４ａと後側部４ｂが底部８に到るまでほぼ垂直状で、断面楕円形状に形成されている。なお、この容器本体４の排出口のキャップ３は断面円形状である。
又、前記前側部４ａの底部８の隅部には、容器本体４の中心方向に凹部１０が形成してあり、その凹部１０と底部８とで液溜め１１が形成されている。即ち、前記液溜め１１は、容器を水平にして噴射口６を下向きにしたとき、前記液溜め１１に溶液が溜まる前側部４ａ側に、その前側部４ａから容器本体４の中心方向に凹んだ凹部１０に形成されている。
【００１０】
また、前記液溜り１１の開口の大きさは、前記吸引チューブ５の先端部が浸漬可能な大きさであり、具体的には、前記凹部１０と底部８の間の幅（Ｗ）は、吸引チューブ５の口径より大きく形成してある。また、前記液溜り１１の深さ（Ｈ）及び前記幅（Ｗ）は、液溜り１１の貯留量であり、後記で詳述するが、容器１を水平にしたとき噴射可能な量である。
【００１１】
尚、容器本体４の形状には種々あり、断面円形、断面楕円形、断面四角状等があるし、噴射器にはトリガーハンドル型、押しボタン式等、種々の機構があり、本願発明はいずれの容器の形状、噴射機構に対しても適用できる。
【００１２】
次に、前記噴射器付き容器の使用操作について説明すると、底部８を下にして、即ち、噴射口６を横にして使用するときには、図１（Ａ）の状態で、ハンドル操作７によってポンプ（図示略）が作動し、容器本体４内の吸引チューブ５を介して溶液Ｙを吸引して、噴射口６から横向きに噴射する。
又、溶液量が多いときには、容器１を水平にして、前記噴射口６を下向きにしても、吸引チューブ５の先端部が溶液Ｙに浸漬しているので、下向きに噴射できる。
【００１３】
しかし、溶液量が少ないときには、一旦、容器本体４の底部８を下にして噴射口６を横向きとし、その後に、容器１を水平にすると、前記凹部１０と底部８とで形成の液溜り１１に溶液は留まる（図１（Ｂ））。
そして、その液溜り１１の溶液は、ハンドル操作７によって、吸引チューブ５を介して吸引されて、下向きの噴射口６から噴射される。
【００１４】
又、前記液溜り１１の溶液Ｙがなくなったときには、再度、容器本体４の底部８を下にした後に、容器１を水平にすると、液溜り１１に溶液Ｙが溜り、ハンドル操作７によって吸引チューブ５を介して溶液Ｙは吸引されて、下向きに噴射ができる。
尚、前記「容器１を水平にする」という概念は、容器１を図１（Ａ）に示す垂直状態から図１（Ｂ）に示す９０°回転して水平状態して、噴射口６を下向きに噴射することができるというものであるが、更に、回転した状態の噴射口６から、或いは、反対に前記９０°より小さな傾斜角度であってもよいということを含む。
【００１５】
以上のように、溶液Ｙが少なくなったときには、一旦、容器本体の底部８を下にした後に、容器１を水平にすると液溜り１１に溶液Ｙが溜り、溜まった溶液は、ハンドル操作７によって、吸引チューブ５を介して吸引されて下向きの噴射口６から噴射する、という操作を繰り返すことによって、順次、容器本体内の残溶液を少なくすることができると共に、残量が少なくなっても下向きに噴射することができる。
【００１６】
次に図２（Ａ）（Ｂ）は、液溜め１１の形成を異にする他の容器形状であり、図２（Ａ）は立設状態の一部断面を含む噴射器付き容器であり、図２（Ｂ）は容器をほぼ水平にして下向きに噴射するときの一部断面を含む噴射器付き容器である。
この容器本体の液溜め１１Ａは、図１に示す液溜め１１が、底部８のすぐ上の前側部４ａが容器本体４の中心方向に凹んだ凹部１０を形成の形状であるのと異なり、前側部４ａが容器本体４の外側に突出する凸部１２に基づいて、液溜め１１Ａが形成されている。
このように、底部８のすぐ上で、突出した凸部１２に基づく液溜め１１Ａを形成しても、前記凹状の液溜め１１と同様に、溶液量が少なくなっても、容器本体の底部８を下にした後に、容器１を水平にして、液溜り１１Ａに溜まった溶液を吸引チューブ５を介して吸引して下向きの噴射口６から噴射する、という操作を繰り返すことによって、順次、容器本体内の残溶液を少なくすることができると共に、残量が少なくなっても下向きに噴射することができる。
【符号の説明】
【００１７】
１    容器
２    噴射器
３    キャップ
４    容器本体
４ａ  前側部
５    吸引チューブ
６    噴射口
８    底部
１０  凹部
１１，１１Ａ  液溜め
１２  凸部
【図１】
2012017108.tif 000003
【図２】
2012017108.tif 000004
【図３】
2012017108.tif 000005